(57)【要約】      （修正有）【課題】簡単な構造でありながら、被介護者の自動車の座席やベッドへの乗せ降ろしの何れにおいても作業が非常に楽な移乗シートを提供する。【解決手段】被介護者の自動車の座席やベッドへの乗せ降ろしの際に使用する移乗シートを、平板状のベースボード１とベースボード１上の一側に配置された凸状部材２より構成される。又、凸状部材２とベースボード１をヒンジ３状に結合させるか若しくは凸状部材２がベースボード１に対して着脱自在な構造とする。被介護者が自然に座った状態で、臀部に移乗シートの奥に向かって移動する力が働き、臀部は自然に移乗シートの奥に向かって凸状部材から滑り落ちるか、若しくは弱い力で押すだけで、自然に座った位置よりも奥にある所定位置に送り込む事が出来る。【選択図】図１
0003146987.tif 000002
【実用新案登録請求の範囲】
【請求項１】
平板状のベースボードと前記ベースボード上の一側に配置された凸状部材より構成される事を特徴とする移乗シート。
【請求項２】
前記凸状部材の一辺が前記ベースボードの一側側の端部とヒンジ状に結合されている事を特徴とする請求項１記載の移乗シート。
【請求項３】
前記凸状部材が前記ベースボードに対して着脱自在な構造である事を特徴とする請求項１記載の移乗シート。
【考案の詳細な説明】
【技術分野】
【０００１】
本考案は、老人や体の不自由な人が自動車の座席やベッドに移乗する際に補助具である。
【背景技術】
【０００２】
従来の移乗シートは、表面に摩擦の少ない素材を使用した単なる板状のシートが用いられており、この様な移乗シートを使用して老人や体の不自由な人（被介護者）が自動車の座席やベッドから降りる際には自動車の座席やベッドの着座面と臀部の間に移乗シートを挿入し、足や上半身を介護者が引っ張る事により比較的容易に作業をする事が出来るが、被介護者が自動車の座席やベッドの所定の位置に乗り込む際には、被介護者が自然に座った位置では手前過ぎるため、被介護者を自動車の座席やベッドの上に置いた移乗シート上に座らせた後に腰もしくは腿の付け根の部分をしっかり保持して奥に押し込む必要があり、特に自動車などスペースの狭い場所での作業は非常に大変であった。
【０００３】
又。特許文献１にはローラーを用いて本体に対して移動が容易な移動体を有する移乗装置が開示されている。しかしながら、この様な移乗装置は構造が複雑になるために重量が重くなり、装置自体の持ち運びに労力を要するばかりでなく、上下方向の厚さが厚くなるため、特に被介護者が自動車の座席やベッドから降りる際には、被介護者を持ち上げた状態で本装置の移動体を臀部の下に送り込む必要があったが、狭い車の中でその様な作業をする事は極めて困難であった。
【特許文献１】特開２００１−８７３２３号公報
【考案の開示】
【考案が解決しようとする課題】
【０００４】
解決しようとする問題点は、簡単な構造でありながら、被介護者の自動車の座席やベッドへの乗せ降ろしの何れのにおいても作業が非常に楽な移乗シートを提供する事である。
【課題を解決するための手段】
【０００５】
本考案の移乗シートは、平板状のベースボードと前記ベースボード上の一側に配置された凸状部材より構成される事を特徴とする。
【０００６】
更に本考案の移乗シートは前記凸状部材の一辺が前記ベースボードの一側側の端部とヒンジ状に結合される構造にすると良い。
【０００７】
又、本考案の移乗シートは前記凸状部材が前記ベースボードに対して着脱自在な構造にしても良い。
【考案の効果】
【０００８】
本考案の移乗シートを使用して自動車の座席やベッドの所定の位置に被介護者を乗せる際には、被介護者が自然に座った状態で、臀部に移乗シートの奥に向かって移動する力が働き、臀部は自然に移乗シートの奥に向かって凸状部から滑り落ちるか、若しくは弱い力で押すだけで、自然に座った位置よりも奥にある所定位置に送り込む事ができる。又、被介護者が自動車の座席やベッドから降りる際には、前記凸状部をベースボードの上から除去した移乗シートを自動車の座席やベッドの着座面と被介護者の臀部の間にを挿入し、上半身を介護者が引っ張る事により容易に被介護者を自動車の座席やベッドから降ろす事が出来る。
【考案を実施するための最良の形態】
【０００９】
以下図面によって本考案の実施例を説明する。
【実施例１】
【００１０】
本考案の移乗シートの第１実施例は、図１〜図５に示す様に、平板状のベースボード１と、略かまぼこ型の凸状部材２と、このベースボード１の一側１１と凸状部２の一側２１を折り曲げ自在に接続するヒンジ部材３より構成される。
【００１１】
前記ベースボード１は他側を略円形状部１２とし、表面もしくはベースボード１材質自体に比較的摩擦係数の低い素材を用いる。  
【００１２】
前記凸状部材２は比較的摩擦計数の低い素材を用いた表皮部材２２の中にクッション部材２３を内包する。尚、前記表皮部材と、クッション部材を一体の物で有っても良く、樹脂の成型品等でも良く、必ずしもクッション性を有する必要は無い。又、ベースボード１の大きさ及び前記凸状部材２の形状は、被介護者の体型や、移乗対象物の硬度、高さ、傾斜、又、所定の着座位置までの距離等に合わせて、適切に設定する事が望ましい。
【００１３】
前記ヒンジ部材３は厚手の布で構成され、前記ベースボード１の一側１１及び凸状部２の一側２１との接続は、縫製によって行われる。尚、前記ヒンジ部材の材質に布を使用する場合は、化学繊維、天然繊維等の限定は無く、更にゴムやウレタン当の折り曲げ可能な素材や、蝶番などを用いても良い。又、前記ベースボード１及び凸状部材２へのヒンジ部材３の固定方法は、ネジ止め、鋲止め、接着、溶着や、二部品間に挟み込む構造など、特に限定される事無く、既存の固定方法を用いる事が出来る。更にベースボード１又は凸状部２の一方若しくは、ベースボード１と凸状部材２の両方を樹脂による一体成型で構成し、ヒンジ部として薄肉の部分を設ける構造でも良い。
【００１４】
本実施例の移乗シートを使用して自動車の座席に座る際は、まず図６に示す様に、着座位置に対して凸状部材２が手前側に来る向きで、更に被介護者が本考案の移乗シートに自然に座った時に臀部の重心位置が凸状部材２の中心位置よりも奥になる位置に移乗シートを設置する。（座席のサイド部に置く。）そして、図７に示す様に被介護者を移乗シートに自然な状態で着座させる。
【００１５】
次に図８に示す様に、被介護者が自然に座った状態で、臀部に移乗シートの奥に向かって移動する力が働き、臀部は自然に移乗シートの奥に向かって凸状部材から滑り落ちるか、若しくは弱い力で押すだけで、自然に座った位置よりも奥にある所定位置に送り込む事が出来る。
【００１６】
次に図９に示す様に、被介護者を移乗シートの略円形状部１２で車両の進行方向の向きに回転させた後、移乗シートを引き抜く。（引き抜く際、前記ベースボード１は他側を略円形状部１２にしている方が、引き抜き距離が少なくて済む効果が有る。）
【００１７】
本実施例の移乗シートを使用して自動車の座席から降りる際は、まず図１０に示す様に、着座位置に対して凸状部材２が手前側に来る向きで、凸状部材２を下方に折り畳み、座席の着座面と臀部の間に移乗シートを挿入する。
【００１８】
次に図１１に示す様に、被介護者を車両の出口の向きに回転させた後、出口に向かって上半身を引っ張る事により図１２に示す様に楽に降りる事が出来る。
【実施例２】
【００１９】
本考案の移乗シートの第２実施例は、図１３に示す様に、平板状のベースボード１と、ベースボード１の中央方向に向かって下方に傾斜した凸状部２と、このベースボード１の上面と凸状部材２の下面に固定された１対の面ファスナー４より構成される。
【００２０】
第１実施例と同様にベースボード１と凸状部の表面は比較的摩擦係数の低い素材を用いられる。更に凸状部２はベースボード１の中央方向に向かって下方に傾斜しているため、移乗シートを使用して自動車の座席やベッドに座った際には、臀部に移乗シートの奥に向かって移動する力がより多く働き、臀部がスムーズに移乗シートの奥に向かって凸状部材２から滑り落ちる効果がある。
【００２１】
そして本実施例では、面ファスナー４により、ベースボード１に対して、凸状部材２が着脱自在に構成されるため、本実施例の移乗シートを使用して自動車の座席から降りる際は、凸状部材２をベースボード１から外して使用する。尚、ベースボード１と凸状部材の接続は本実施例の面ファスナー４に限定されず、機械的結合等、既存の技術を用いる事が出来る。
【００２２】
又、本実施例では、取手部１３を設けたので、自動車の座席やベッドの着座面と臀部の間から移乗シートから引き抜く際に力が入り易く便利である。尚、取手部１３は本実施例の構造に限定されず、別途ベルト等を用いてベースボード１の接続する等、既存の技術を用いる事が出来る。又、もちろん実施例１に取手部を設ける事も出来る。
【図面の簡単な説明】
【００２３】
【図１】本考案の移乗シートの側面図である。（実施例１）
【図２】本考案の移乗シートの平面図である。（実施例１）
【図３】本考案の移乗シートの正面図である。（実施例１）
【図４】本考案の移乗シートの断面図である。（実施例１）
【図５】本考案の移乗シートの動作の説明図である。（実施例１）
【図６】本考案の移乗シートの使用方法の説明図である。（実施例１）
【図７】本考案の移乗シートの使用方法の説明図である。（実施例１）
【図８】本考案の移乗シートの使用方法の説明図である。（実施例１）
【図９】本考案の移乗シートの使用方法の説明図である。（実施例１）
【図１０】本考案の移乗シートの使用方法の説明図である。（実施例１）
【図１１】本考案の移乗シートの使用方法の説明図である。（実施例１）
【図１２】本考案の移乗シートの使用方法の説明図である。（実施例１）
【図１３】本考案の移乗シートの断面図である。（実施例２）
【符号の説明】
【００２４】
１    ベースボード
２    凸状部材
３    ヒンジ部材
４    面ファスナー
１１  一側
１２  略円形状部
１３  取手
２１  一側
２２  表皮部材
２３  クッション部材
【図１】
0003146987.tif 000003
【図２】
0003146987.tif 000004
【図３】
0003146987.tif 000005
【図４】
0003146987.tif 000006
【図５】
0003146987.tif 000007
【図６】
0003146987.tif 000008
【図７】
0003146987.tif 000009
【図８】
0003146987.tif 000010
【図９】
0003146987.tif 000011
【図１０】
0003146987.tif 000012
【図１１】
0003146987.tif 000013
【図１２】
0003146987.tif 000014
【図１３】
0003146987.tif 000015